(57)【要約】【課題】スクロール処理による表示対象の切り替えを容易に行うこと。【解決手段】画面上に入力されたすべての画像を表示する画像表示領域１２ａと、所定の抽出画像が所定の秩序に従って配列された抽出画像群の一部を表示する抽出画像表示領域１２ｂとを少なくとも表示すると共に、抽出画像表示領域１２ｂは、個々の抽出画像を表示するための領域である表示領域２４ａ〜２４ｄを確保する。抽出画像表示領域の表示態様の切り替えの前後を通じて表示領域２４ａ〜２４ｄの位置を変化させないことにより、表示される個々の抽出画像は、常に全領域が表示され、一部領域のみが表示された場合と比較して容易に抽出画像の内容を把握することが可能である。【選択図】        図３
2006301535.tif 000002
【特許請求の範囲】
【請求項１】
複数の画像データに対応した画像を表示する画像表示領域と、複数の画像データの中からあらかじめ抽出された画像データに対応し、所定の抽出画像が所定の秩序に従って配列された抽出画像群の一部を表示する抽出画像表示領域とを表示する表示手段を備えた画像表示装置であって、
前記表示手段が表示するポインタを制御することによって、前記抽出画像群のうち前記抽出画像表示領域に表示する部分を切り替えるよう指示する指示手段と、
前記指示手段の指示を受けて前記抽出画像表示領域の表示態様を切り替える際に、新たに表示される前記抽出画像群の一部を構成する個々の抽出画像の全領域が表示されるよう制御する表示制御手段と、
を備えたことを特徴とする画像表示装置。
【請求項２】
前記表示制御手段は、表示態様の切り替えの前後を通じて、前記抽出画像表示領域の中で個々の抽出画像を表示する領域の位置を変化させることなく抽出画像の入れ替えおよび／または移動を行うよう制御することを特徴とする請求項１に記載の画像表示装置。
【請求項３】
前記表示制御手段は、前記指示手段による指示が行われる度に、前記抽出画像群に関して前記配列の上流方向または下流方向に１画像分移動した部分を前記抽出画像表示領域に表示するよう制御することを特徴とする請求項１または２に記載の画像表示装置。
【請求項４】
前記表示制御手段は、前記指示手段による指示が行われる度に、前記抽出画像群に関して前記配列の上流方向または下流方向に、前記抽出画像表示領域の表示画像数に対応した長さだけ移動した部分を前記抽出画像表示領域に表示するよう制御することを特徴とする請求項１または２に記載の画像表示装置。
【請求項５】
前記表示制御手段は、前記指示手段による指示の継続中は前記抽出画像表示領域の表示態様に関して指示前の状態を維持するよう制御し、前記指示の完了後に、前記抽出画像群に関して指示の継続時間に応じた量だけシフトした部分を前記抽出画像表示領域に表示するよう制御することを特徴とする請求項１〜４のいずれか一つに記載の画像表示装置。
【請求項６】
前記制御手段は、前記抽出画像表示領域に表示する個々の抽出画像の大きさを調整すると共に、調整した抽出画像の大きさに基づき定まる個数の抽出画像を表示するよう制御することを特徴とする請求項１に記載の画像表示装置。
【請求項７】
複数の画像データに対応した画像を表示する画像表示領域と、複数の画像データの中からあらかじめ抽出された画像データに対応し、所定の秩序に従って配列された抽出画像群の一部を表示する抽出画像表示領域とを表示する表示手段を備えた画像表示装置であって、
前記表示手段は、前記抽出画像表示領域における表示態様を変化させるための第１ＧＵＩおよび第２ＧＵＩをさらに表示し、
前記表示手段が表示する所定のポインタを制御して前記第１ＧＵＩまたは前記第２ＧＵＩのいずれか一方を選択することにより前記抽出画像表示領域における表示態様の変化を指示する指示手段と、
前記指示手段の指示に基づき、前記抽出画像群に関して前記配列の上流方向または下流方向に所定長だけシフトした部分を表示するよう制御する表示制御手段と、
を備えたことを特徴とする画像表示装置。
【請求項８】
前記表示制御手段は、前記所定長として前記抽出画像表示領域の表示画像数に対応した長さだけ移動した部分を表示することを特徴とする請求項７に記載の画像表示装置。
【請求項９】
前記表示手段は、領域上の位置が前記抽出画像群上の位置と対応づけられた表示選択領域をさらに表示し、
前記表示制御手段は、前記抽出画像群に関して、前記表示選択領域上における前記指示手段を介した前記ポインタの指定した位置に対応した部分を前記抽出画像表示領域に表示するよう制御することを特徴とする請求項７に記載の画像表示装置。
【発明の詳細な説明】
【技術分野】
【０００１】
本発明は、複数の画像データに対応した画像を表示する画像表示領域と、複数の画像データの中からあらかじめ抽出された画像データに対応し、所定の抽出画像が所定の秩序に従って配列された抽出画像群の一部を表示する抽出画像表示領域とを表示する表示手段を備えた画像表示装置に関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、移動に伴い、例えば０．５秒間隔で被検体内画像の撮像を行う機能を有する。
【０００３】
体腔内を移動する間、カプセル型内視鏡によって体内で撮像された画像データは、順次無線通信により外部に送信され、受信装置に設けられたメモリに蓄積される。無線通信機能とメモリ機能とを備えた受信装置を携帯することにより、被検体は、カプセル型内視鏡を飲み込んだ後、排出されるまでの間に渡って、自由に行動することが可能である（例えば、特許文献１参照。）。
【０００４】
ところで、このように撮像された被検体内画像は、受信装置に設けられたメモリから取り出された後に、ワークステーション等の画像表示装置にて表示され、医師の診断等に利用される。このような画像表示装置の一例として、入力されたすべての画像を順次表示する画像表示領域の他に、過去の閲覧時に抽出した個々の抽出画像を、例えばサムネイル表示（縮小表示）する抽出画像表示領域を備えたものが知られている。
【０００５】
ここで、抽出画像の枚数は大量なものとなることが一般的である一方で、抽出画像表示領域の面積には限界がある。従って、従来の画像表示装置では、一部の抽出画像についてのみ抽出画像表示領域に表示し、抽出画像表示領域の右端または下端に配置したスクロールバーを用いたスクロール処理を行うことによって表示する抽出画像を切り替える等の対策が施されている。
【０００６】
【特許文献１】特開２００３−１９１１１号公報
【発明の開示】
【発明が解決しようとする課題】
【０００７】
しかしながら、スクロール処理によって抽出画像を切り替える操作は、画像表示装置の使用者にとって操作が煩雑であるという課題を有する。すなわち、一般的なスクロール処理としては、例えば、マウス等のポインティングディバイスを用いて、画面上に表示されるポインタの位置をスクロールバーにあわせた後、ポインティングディバイスに備わるボタンを押し下げた状態を維持しつつ（すなわちドラッグし）、ポインタの位置を調整する必要がある。このため、ボタンを押し下げた状態を所定時間持続させる必要性が生ずることとなり、特に大量の抽出画像を閲覧する場合には、使用者にとって操作が煩雑であるという課題を生じることとなる。
【０００８】
また、スクロール処理によって抽出画像を切り替える操作を行った場合には、新たな抽出画像が部分的にしか表示されず、抽出画像の内容がどのようなものか把握することが困難となる場合がある。このような場合には、抽出画像の全領域を表示するためにさらなるスクロール処理が必要となることから、やはり使用者にとって操作が煩雑なものとなる。
【０００９】
本発明は、上記に鑑みてなされたものであって、抽出画像が所定の秩序に従って配列された抽出画像群の一部を表示する抽出画像表示領域を有する画像表示装置において、従来のスクロール処理による不具合を解消しつつ表示対象の切り替えを行うことが可能な画像表示を実現することを目的とする。
【課題を解決するための手段】
【００１０】
上述した課題を解決し、目的を達成するために、請求項１にかかる画像表示装置は、複数の画像データに対応した画像を表示する画像表示領域と、複数の画像データの中からあらかじめ抽出された画像データに対応し、所定の抽出画像が所定の秩序に従って配列された抽出画像群の一部を表示する抽出画像表示領域とを表示する表示手段を備えた画像表示装置であって、前記表示手段が表示するポインタを制御することによって、前記抽出画像群のうち前記抽出画像表示領域に表示する部分を切り替えるよう指示する指示手段と、前記指示手段の指示を受けて前記抽出画像表示領域の表示態様を切り替える際に、新たに表示される前記抽出画像群の一部を構成する個々の抽出画像の全領域が表示されるよう制御する表示制御手段とを備えたことを特徴とする。
【００１１】
この請求項１の発明によれば、表示を切り替えた際に、新たに表示される抽出画像のそれぞれに関して全領域が表示されるよう表示制御手段の制御が行われることとしたため、従来のスクロール処理のように、新たな抽出画像が一部のみ表示されることによって画像の内容把握が困難となるといった弊害を防止することができる。
【００１２】
また、請求項２にかかる画像表示装置は、上記の発明において、前記表示制御手段は、表示態様の切り替えの前後を通じて、前記抽出画像表示領域の中で個々の抽出画像を表示する領域の位置を変化させることなく抽出画像の入れ替えおよび／または移動を行うよう制御することを特徴とする。
【００１３】
また、請求項３にかかる画像表示装置は、上記の発明において、前記表示制御手段は、前記指示手段による指示が行われる度に、前記抽出画像群に関して前記配列の上流方向または下流方向に１画像分移動した部分を前記抽出画像表示領域に表示するよう制御することを特徴とする。
【００１４】
また、請求項４にかかる画像表示装置は、上記の発明において、前記表示制御手段は、前記指示手段による指示が行われる度に、前記抽出画像群に関して前記配列の上流方向または下流方向に、前記抽出画像表示領域の表示画像数に対応した長さだけ移動した部分を前記抽出画像表示領域に表示するよう制御することを特徴とする。
【００１５】
また、請求項５にかかる画像表示装置は、上記の発明において、前記表示制御手段は、前記指示手段による指示の継続中は前記抽出画像表示領域の表示態様に関して指示前の状態を維持するよう制御し、前記指示の完了後に、前記抽出画像群に関して指示の継続時間に応じた量だけシフトした部分を前記抽出画像表示領域に表示するよう制御することを特徴とする。
【００１６】
また、請求項６にかかる画像表示装置は、上記の発明において、前記制御手段は、前記抽出画像表示領域に表示する個々の抽出画像の大きさを調整すると共に、調整した抽出画像の大きさに基づき定まる個数の抽出画像を表示するよう制御することを特徴とする。
【００１７】
また、請求項７にかかる画像表示装置は、上記の発明において、複数の画像データに対応した画像を表示する画像表示領域と、複数の画像データの中からあらかじめ抽出された画像データに対応し、所定の秩序に従って配列された抽出画像群の一部を表示する抽出画像表示領域とを表示する表示手段を備えた画像表示装置であって、前記表示手段は、前記抽出画像表示領域における表示態様を変化させるための第１ＧＵＩおよび第２ＧＵＩをさらに表示し、前記表示手段が表示する所定のポインタを制御して前記第１ＧＵＩまたは前記第２ＧＵＩのいずれか一方を選択することにより前記抽出画像表示領域における表示態様の変化を指示する指示手段と、前記指示手段の指示に基づき、前記抽出画像群に関して前記配列の上流方向または下流方向に所定長だけシフトした部分を表示するよう制御する表示制御手段とを備えたことを特徴とする。
【００１８】
この請求項７の発明によれば、スクロール処理を行うためのスクロールバーに替えて第１、第２ＧＵＩを用いて表示切り替えを行うこととしたため、スクロール処理を行うことなく表示切り替えを行うことが可能である。
【００１９】
また、請求項８にかかる画像表示装置は、上記の発明において、前記表示制御手段は、前記所定長として前記抽出画像表示領域の表示画像数に対応した長さだけ移動した部分を表示することを特徴とする。
【００２０】
また、請求項９にかかる画像表示装置は、上記の発明において、前記表示手段は、領域上の位置が前記抽出画像群上の位置と対応づけられた表示選択領域をさらに表示し、前記表示制御手段は、前記抽出画像群に関して、前記表示選択領域上における前記指示手段を介した前記ポインタの指定した位置に対応した部分を前記抽出画像表示領域に表示するよう制御することを特徴とする。
【発明の効果】
【００２１】
本発明にかかる画像表示装置は、表示を切り替えた際に、新たに表示される抽出画像のそれぞれに関して全領域が表示されるよう表示制御手段の制御が行われることとしたため、従来のスクロール処理のように、新たな抽出画像が一部のみ表示されることによって画像の内容把握が困難となるといった弊害を防止することができるという効果を奏する。
【００２２】
また、本発明にかかる画像表示装置は、スクロール処理を行うためのスクロールバーに替えて第１、第２ＧＵＩを用いて表示切り替えを行うこととしたため、スクロール処理を行うことなく表示切り替えを行うことが可能であるという効果を奏する。
【発明を実施するための最良の形態】
【００２３】
以下、この発明を実施するための最良の形態（以下では、単に「実施の形態」と称する）である画像表示装置について説明する。なお、図面は模式的なものであり、各部分の大きさの関係などは現実のものとは必ずしも一致しないことに留意すべきである。また、以下では、本実施の形態にかかる画像表示装置の使用態様の一例について説明した後、画像表示装置の構成、作用等について説明することとする。
【００２４】
図１は、本実施の形態にかかる画像表示装置を構成要素として備えるカプセル型内視鏡システムの全体構成を示す模式図である。図１に示すように、カプセル型内視鏡システムは、被検体１の内部に導入されて被検体内部の画像たる被検体内画像の撮像および取得した画像データを含む無線信号の送信機能を有するカプセル型内視鏡２と、カプセル型内視鏡２から送信された無線信号の受信に用いられる受信アンテナ３ａ〜３ｈと、受信アンテナ３ａ〜３ｈのいずれかを介して受信された無線信号に対して受信処理を施す受信装置４と、受信装置４にて受信処理された画像データを表示する機能を有し、本実施の形態にかかる画像表示装置として機能する画像表示装置５と、受信装置４および画像表示装置５に対して着脱自在であって、受信装置４と画像表示装置５との間の情報の受け渡しに用いられる携帯型記録媒体６とを備える。
【００２５】
カプセル型内視鏡２は、撮像機構および無線送信機構を内蔵すると共に、外径がカプセル状に形成された構造を有する。具体的には、カプセル型内視鏡２は、被検体１の口腔を介して被検体１内部に導入され、内蔵した撮像機構によって取得した画像データを被検体１の外部に対して無線送信する機能を有する。
【００２６】
受信アンテナ３ａ〜３ｈは、カプセル型内視鏡２から送信された無線信号を受信し、受信した無線信号を受信装置４に供給するためのものである。具体的には、受信アンテナ３ａ〜３ｈは、それぞれが例えばループアンテナおよびループアンテナを被検体１の体表面上に固定するための固定機構とによって形成される。
【００２７】
受信装置４は、受信アンテナ３ａ〜３ｈのいずれかを介して無線信号を受信し、受信した信号に対して復調処理等を施すことによってカプセル型内視鏡２にて得られた画像データを再生する機能を有する。また、受信装置４は、携帯型記録媒体６を装着可能な構造を有しており、装着された携帯型記録媒体６に対して、再生した画像データを記録する機能を有する。
【００２８】
携帯型記録媒体６は、受信装置４と画像表示装置５との間の情報の受け渡しに用いられるものであって、双方に対して着脱自在となるよう形成されている。具体的には、携帯型記録媒体６は、例えばコンパクトフラッシュ（登録商標）メモリ等によって形成されており、受信装置４にて再生された画像データを、画像表示装置５に伝達する機能を有する。
【００２９】
次に、本実施の形態にかかる画像表示装置について説明する。図１に示した使用態様となる場合には、本実施の形態にかかる画像表示装置は、カプセル型内視鏡２にて例えば０．５秒間隔で数時間〜十数時間に渡って行われる撮像動作によって得られた大量の画像データを、携帯型記録媒体６を介して入力することとなる。このため、かかる大量の画像の中から所望の画像を選択する際に、使用者にとっての利便性の低下を抑制する工夫が施されている。以下、本実施の形態にかかる画像表示装置の構成、作用等につき詳細に説明する。
【００３０】
図２は、本実施の形態にかかる画像表示装置の構成を示す模式的なブロック図である。図２に示すように、本実施の形態にかかる画像表示装置は、外部から画像データを入力する入力部８と、表示態様等に関する指示を入力するための指示部９と、入力部８を介して入力された画像データ等を記憶する記憶部１０と、記憶部１０に記憶されたデータに基づき所定の画像を表示する表示部１２と、表示部１２の表示態様を制御する制御部１３とを備える。
【００３１】
入力部８は、携帯型記録媒体６等の外部機器から画像データを取得するためのものである。具体的には、入力部８は、図１の使用態様の場合には、携帯型記録媒体６を装着可能な構造を有すると共に、装着時に携帯型記録媒体６に記録された画像データを入力し、制御部１３を介して記憶部１０に対して出力する機能を有する。なお、入力部８における入力態様としては、携帯型記録媒体６以外にも、所定のケーブル配線を介して外部機器から入力することとしても良いし、無線ＬＡＮ等の無線入力によって画像データを取得することとしても良い。
【００３２】
指示部９は、例えば使用者からの指示を入力するためのものである。具体的には、指示部９は、少なくとも表示部１２上に表示されたポインタの位置の変化および選択を制御可能な機能を有し、ポインタを介して表示部１２上に表示されたＧＵＩ等を指定することによって、所定の指示を入力する機能を有する。なお、指示部９による「指定」とは、例えば、所定のＧＵＩが表示される位置にポインタを移動すると共にあらかじめ備わるボタンを押し下げる（クリックする）ことにより、ＧＵＩ等にて表象される機能を実現するよう指示することを言う。かかる指定動作を可能とするため、指示部９は、例えば、マウス、トラックボール等によって形成される。
【００３３】
記憶部１０は、外部から入力された画像データを記憶する撮像画像データベース１４と、指示部９等を介してあらかじめ全画像の中から抽出された抽出画像に関する情報を記憶する抽出画像データベース１５とを備える。なお、抽出画像データベース１５に記憶する情報としては、最も単純な構成としては抽出された画像のサムネイル画像（縮小画像）そのものを記憶することとしても良いが、他にも抽出された画像のファイル名のみを記憶し、必要に応じて表示制御部１６（後述）がファイル名に基づき撮像画像データベース１４から画像データを入力してサムネイル画像を生成することとしても良い。
【００３４】
表示部１２は、外部から入力された画像、図１のシステムの例ではカプセル型内視鏡２によって撮像された画像を表示する機能を有する。具体的には、表示部１２は、入力された複数の画像データに対応した画像を、例えば撮像順に順次表示するための画像表示領域１２ａと、入力された複数の画像データの中からあらかじめ抽出された画像データに対応した画像を表示する抽出画像表示領域１２ｂとを備える。
【００３５】
制御部１３は、本実施の形態にかかる画像表示装置の構成要素に対して一般的な駆動制御等を行う機能を有する他、表示部１２における表示態様を制御する機能を有する。具体的には、制御部１３は、表示部１２の表示態様を制御するための表示制御部１６を備えた構成を有し、表示制御部１６によって表示部１２の表示制御が行われることとなる。
【００３６】
次に、表示制御部１６の制御に基づく表示部１２の表示態様について説明する。図３は、表示部１２の表示態様について示す模式図である。図３に示すように、表示部１２は、画像表示領域１２ａと抽出画像表示領域１２ｂを表示する一方で、撮像画像データベース１４中に記憶した、異なる検査等に対応した様々な種類の画像データに関するディレクトリ構造を表示するディレクトリ表示領域１９と、表示画像に対応したテキスト情報を表示するテキスト表示領域２２とを表示する。また、表示部１２は、それぞれ所定の機能を表象し、指示部９による指定がなされることによって所定の機能が実行されるよう形成されたアイコン２０ａ〜２０ｖと、線形状を有し、領域上の位置が表示可能な全画像データのそれぞれと対応するスライダーバー２７ａと、スライダーバー２７ａのうち、画像表示領域１２ａにて表示される選択画像２１に対応した位置に配置される指標アイコン２７ｂと、抽出画像表示領域１２ｂの表示態様を切り替えるためのスクロールバー２６ａおよびスクロールボタン２６ｂ、２６ｃとを表示する。
【００３７】
アイコン２０ａ〜２０ｖは、それぞれ様々な機能を表象するものであり、指示部９の指定に基づき表示態様等が変化するよう構成されている。例えば、アイコン２０ａ、２０ｂ、２０ｅ、２０ｆは、指示部９に指定されることによって、それぞれ検査日、患者名、患者情報およびオプション情報がテキスト表示領域２２に表示される。また、アイコン２０ｃは、指示部９の指定により所定の初期化処理が行われ、アイコン２０ｄは、指示部９の指定により入力部８を介した画像データ入力が行われ、アイコン２０ｇ、２０ｈ、２０ｉは、指示部９の指定によりそれぞれ検索処理、ログオフ処理および画像表示終了処理が開始される。また、アイコン２０ｊ〜２０ｖは、画像表示領域１２ａ上に表示する選択画像２１の表示態様を変化するためのものであり、アイコン２０ｊ、２０ｋの指定によりそれぞれオートモードまたは出血部位のみ抽出したモードにて選択画像２１が表示される。また、アイコン２０ｌ〜２０ｑは、指示部９の指定により選択画像２１に関してそれぞれ巻き戻し方向（例えば撮像順と逆方向）の頭出し、巻き戻し方向の再生、巻き戻し方向のコマ送り、順方向（例えば撮像順の方向）のコマ送り、順方向の再生および順方向の頭出しが行われる。さらに、アイコン２０ｒ、２０ｓは、指示部９の指定により、複数の画像データを順次表示する場合の再生速度（切り替え速度）に関して、それぞれ再生速度が増加、減少する。また、アイコン２０ｔ〜２０ｖは、指示部９の指定により、画像表示領域１２ａにおける選択画像２１の表示個数がそれぞれ１個、２個または４個に変化する。
【００３８】
スライダーバー２７ａおよび指標アイコン２７ｂは、画像表示領域１２ａに表示される選択画像２１に対応する画像データの、表示可能なすべての画像データ中における位置関係を示すためのものである。具体的には、表示可能なすべての画像データはスライダーバー２７ａの所定の位置に対応づけられており、例えばスライダーバー２７ａの左端から右端に向かうに従って撮像順に応じた画像データが対応づけられており、スライダーバー２７ａの左端が最も早い時刻に撮像された画像と対応づけられ、右端が最も遅い時刻に撮像された画像と対応づけられる。指標アイコン２７ｂは、かかるスライダーバー２７ａ上であって、現に選択画像２１として画像表示領域１２ａ上に表示される画像データに対応した領域に位置する。このため、画像表示装置の使用者は、表示されている選択画像２１が被検体１内のどの部位を撮像したものかを推測することが可能である。
【００３９】
次に、抽出画像表示領域１２ｂおよび抽出画像表示領域１２ｂの表示態様を変化させるためのスクロールバー２６ａ、スクロールボタン２６ｂ、２６ｃについて説明する。抽出画像表示領域１２ｂは、表示可能なすべての画像データの中からあらかじめ抽出された複数の画像データに対応し、所定の秩序、例えば撮像時刻の先後に従って配列された抽出画像群の一部を表示するための領域である。そして、抽出画像表示領域１２ｂの表示態様は、指示部９を用いてスクロールバー２６ａ、スクロールボタン２６ｂ、２６ｃを指定することによって切り替わるよう構成されている。
【００４０】
具体的には以下の通りである。まず、抽出画像表示領域１２ｂ内には、個々の抽出画像を表示する領域であって、指示部９からの指示の有無にかかわらず固定された位置に配置された表示領域２４ａ〜２４ｄを有しており、表示対象たる抽出画像群の一部を構成する抽出画像は、かかる表示領域２４ａ〜２４ｄ上に配置されることとなる。例えば、図３の例では、表示領域２４ａ上に抽出画像２５−ｉが配置され、表示領域２４ｂ〜２４ｄにはそれぞれ抽出画像２５−（ｉ＋１）〜２５−（ｉ＋３）が配置されている。なお、抽出画像２５−ｉは、複数存在する抽出画像のうち、抽出画像群にてｉ番目に位置する抽出画像を示すこととする。
【００４１】
なお、抽出画像２５−ｉ〜２５−（ｉ＋３）のそれぞれは、表示可能な全画像のうちの一つでもあることから、それぞれがスライダーバー２７ａ上に対応する位置を有することとなる。このため、表示部１２は、抽出画像２５−ｉ〜２５−（ｉ＋３）のそれぞれとスライダーバー２７ａ上の位置との関係を明らかにするため、両者の間を結ぶリンク線２８−ｉ〜２８−（ｉ＋３）を表示する。
【００４２】
次に、指示部９によってスクロールバー２６ａ、スクロールボタン２６ｂ、２６ｃのいずれかを指定した場合の表示態様の変化について、スクロールボタン２６ｃを指定した場合を例に説明する。本実施の形態では、指示部９によって表示態様の切り替えが指示された場合に、表示部１２は、抽出画像表示領域１２ｂ内に配置された表示領域２４ａ〜２４ｄの位置を変化させること無く、表示する抽出画像を切り替えることによって、表示する個々の抽出画像の全領域を表示する機能を有する。
【００４３】
図３は、指示部９によってスクロールボタン２６ｃを指定した後の表示部１２の表示態様を示す模式図である。図３に示すように、指示部９による指示が行われた後の抽出画像表示領域１２ｂでは、表示領域２４ａ〜２４ｄの位置は指示前と変化しない一方で、表示領域２４ａ〜２４ｄのそれぞれに表示される抽出画像が変化する。具体的には、指示部９の指示前に抽出画像２５−ｉが表示されていた表示領域２４ａには、新たに抽出画像２５−（ｉ＋１）が表示され、表示領域２４ｂ、２４ｃには、それぞれ新たに抽出画像２５−（ｉ＋２）、２５−（ｉ＋３）が表示される。また、表示領域２４ｄには、指示部９の指示前には表示されていなかった抽出画像２５−（ｉ＋４）が表示される。このように、本実施の形態にかかる画像表示装置では、抽出画像表示領域１２ｂ全体として考えれば、表示される抽出画像群の一部に関して、切り替え前と比較して画像配列方向の下流に画像一つ分だけ移動した部分を新たに表示することとなる。
【００４４】
次に、本実施の形態にかかる画像表示装置の利点について説明する。まず、本実施の形態では、抽出画像表示領域１２ｂに備わる表示領域２４ａ〜２４ｄの位置を、表示態様の切り替えの前後を通じて変化させないよう表示制御部１６が制御する構成を採用する。上述したように、抽出画像はそれぞれ表示領域２４ａ〜２４ｄのいずれかに表示されることから、かかる構成を採用することによって、抽出画像表示領域１２ｂに表示される個々の抽出画像は、それぞれ全領域が表示されることとなり、従来のスクロール処理を用いた場合のように一部のみが表示されることによって画像内容の把握が困難となることを防止できるという利点を有する。
【００４５】
また、本実施の形態にかかる画像表示装置では、表示領域２４ａ〜２４ｄの位置がそれぞれ固定されていることから、表示する抽出画像の移動および／または入れ替えが生じた場合であっても、抽出画像が表示される位置が変化することはない。このため、画像表示装置の使用者は、画像表示位置の移動に応じて視線を切り替える必要が無く、一定方向西線をむけたままで切り替えられた抽出画像の内容を確認することが可能となり、簡易に閲覧することが可能であるという利点を有する。
【００４６】
さらに、本実施の形態にかかる画像表示装置は、抽出画像表示領域１２ｂの表示態様を切り替えるたびに１個の画像に応じた距離だけ移動した部分を表示する。このため、新たに表示される抽出画像とそれまで表示されていた抽出画像との間の位置関係（撮像時刻の先後）を容易に把握することが可能であり、初心者にとっても容易に使用できるという利点を有する。
【００４７】
（変形例１）
次に、実施の形態にかかる画像表示装置の変形例１について説明する。なお、以下に説明する変形例では、画像表示装置の基本構成は図２に示すものと同様である一方で、表示制御部１６の制御が実施の形態と異なることによって表示部１２の表示態様に関して実施の形態と相違することから、画像表示装置の構成等に関する説明は省略し、実施の形態に対する表示部１２の表示態様の相違点を中心に説明することとする。
【００４８】
本変形例１では、抽出画像表示領域１２ｂの表示態様に関して、指示部９の指示に基づく表示態様の変化が実施の形態と相違し、具体的には、抽出画像表示領域１２ｂに表示される抽出画像群の部分が、一度の指示によって、抽出画像表示領域１２ｂにて表示可能な画像数に応じた距離だけ移動することとしている。
【００４９】
図５は、図３に示す状態において指示部９を用いてスクロールボタン２６ｃを指定した場合の表示態様の変化を示す模式図である。図５に示すように、本変形例１では、一度の指示によって、それまで抽出画像表示領域１２ｂには抽出画像２５−ｉ〜２５−（ｉ＋３）が表示されていたのが、新たに抽出画像２５−（ｉ＋４）〜２５−（ｉ＋７）が表示されており、すべての抽出画像が入れ替わった、いわばページ切り替えのように表示態様が変化している。換言すれば、抽出画像表示領域１２ｂに表示される抽出画像群の部分が、指示部９の一度の指示によって表示可能な画像数（図５の場合には４個）に応じた距離だけ下流方向（すなわち、撮像時刻が新しくなる方向）に移動したこととなる。なお、図５はスクロールボタン２６ｃを指定した場合の変化を示すものであって、例えばスクロールボタン２６ｂを指定した場合には逆方向、すなわち配列の上流方向（すなわち、撮像時刻が古くなる方向）に、表示画像数に応じた距離だけ移動することとなる。
【００５０】
なお、本変形例１では、指示部９によるスクロールボタン２６ｃ等の指定が行われる度に表示態様が変化することとし、例えば、ポインタ２３をスクロールボタン２６ｃ等の位置に移動した状態にて指示部９に備わるボタン等を所定時間に渡って押し下げ続けた（すなわち、ドラッグした）場合には、順次表示態様の切り替えが行われることとなる。しかしながら、このような指示の継続中に関しては抽出画像表示領域１２ｂの表示態様を変更せず、指示が完了、すなわちボタン等の押し下げが完了した時点で、抽出画像群のうち指示の継続時間に応じた距離だけ移動した部分を表示することとしても良い。このような構成とすることで表示部１２の描画処理上の負担が軽減されるのみならず、画像表示装置の使用者としても絶え間ない表示態様の切り替えによる目の疲労が軽減されるという利点を有することとなる。
【００５１】
（変形例２）
次に、変形例２について説明する。本変形例２では、抽出画像表示領域１２ｂ近傍の表示態様としてスクロールバーを用いるのではなく、所定の第１、第２ＧＵＩを用いることによって、簡便に表示切り替え指示を行うことを可能としている。
【００５２】
図６は、本変形例２における表示部１２の表示態様について示す模式図である。図６に示すように、本変形例２では、表示部１２は、指示部９による表示切り替えに用いられる第１ＧＵＩ３０ａおよび第２ＧＵＩ３０ｂと、表示される抽出画像の抽出画像群全体における位置を示すためのスライダーバー３１ａおよび指標アイコン３１ｂとを表示する。
【００５３】
スライダーバー３１ａおよび指標アイコン３１ｂは、表示可能な全画像に関するスライダーバー２７ａ、指標アイコン２７ｂと同様の機能を果たすものである。すなわち、スライダーバー３１ａ上の位置は、個々の抽出画像と対応づけられており、指標アイコン２７ｂは、スライダーバー３１ａ上であって、現に抽出画像表示領域１２ｂに表示されている抽出画像が対応する領域に位置することにより、表示されている抽出画像が、抽出画像群上のどの部分に該当するかを視覚的に把握することを可能としている。
【００５４】
第１ＧＵＩ３０ａおよび第２ＧＵＩ３０ｂは、それぞれ抽出画像表示領域１２ｂに表示する抽出画像群の部分を、抽出画像の配列に関して上流方向（撮像時刻が古くなる方向）および下流方向（撮像時刻が新しくなる方向）に移動するためのものである。具体的には、第１ＧＵＩ３０ａまたは第２ＧＵＩ３０ｂを指示部９によって指定することによって上記の表示態様の変更が行われることとなる。
【００５５】
図７は、本変形例２における抽出画像表示領域１２ｂの表示態様の変化の一例を示す模式図である。図７の例では第２ＧＵＩ３０ｂを指定した場合について示すが、図７に示すように、本変形例２では抽出画像の表示領域を固定することなく指示の継続時間に応じて連続的に変化するものとする。
【００５６】
このように、スクロールバーを用いることなく第１ＧＵＩ３０ａおよび第２ＧＵＩ３０ｂによって表示態様を切り替える構成とすることで、スクロール処理を行うこと無く表示態様を変化させることが可能であり、使用者の負担を軽減することが可能である。
【００５７】
（変形例３）
次に、実施の形態にかかる画像表示装置の変形例３について説明する。本変形例３では、表示部１２は、変形例２と同様に第１ＧＵＩ３０ａおよび第２ＧＵＩ３０ｂを用いることに加え、実施の形態と同様に抽出画像を表示する領域を固定した状態で表示することとする。
【００５８】
図８は、本変形例３における表示部１２の表示態様を示す模式図である。図８に示すように、本変形例３では、抽出画像表示領域１２ｂの下部には変形例２と同様にスライダーバー３１ａ、指標アイコン３１ｂおよび第１ＧＵＩ３０ａ、第２ＧＵＩ３０ｂが表示される。一方で、本変形例３では図８に示すように抽出画像表示領域１２ｂ中に表示領域２４ａ〜２４ｄが形成されており、抽出画像は、表示領域２４ａ〜２４ｄ上に配置された構成を有する。
【００５９】
図９は、第２ＧＵＩ３０ｂを指定することによって変化した表示態様を示す模式図である。図９に示すように、本変形例３では表示態様の切り替えの前後を通じて表示領域２４ａ〜２４ｄの位置が固定されることから、実施の形態の場合と同様に、表示される抽出画像のそれぞれの全領域が表示されると共に、表示される抽出画像群の部分としては、１画像分の距離だけ下流に移動することとなる。このように、変形例２の構成と実施の形態の構成とを組み合わせた表示とすることも有効であって、本変形例３にかかる画像表示装置は、実施の形態および変形例２の利点をあわせて享受することが可能である。
【００６０】
（変形例４）
次に、実施の形態にかかる画像表示装置の変形例４について説明する。本変形例４では、変形例２と同様に第１ＧＵＩ３０ａおよび第２ＧＵＩ３０ｂを指定することによって抽出画像表示領域１２ｂの表示態様を切り替える構成を有すると共に、変形例１と同様に、指示部９による一度の指定によって、表示する抽出画像群の部分を、抽出画像表示領域１２ｂの表示画像数に応じた距離だけ移動する構成を採用する。
【００６１】
図１０は、図８の状態から第２ＧＵＩ３０ｂを一度指定することによって変化した表示態様を示す模式図である。図８では抽出画像表示領域１２ｂには抽出画像２５−ｉ〜２５−（ｉ＋３）が表示されていたのに対して、指示部９の指示が行われた後には、変形例１と同様に、抽出画像群における画像配列の下流方向に、抽出画像表示領域１２ｂの表示画像数に応じた距離だけ移動することによって、抽出画像２５−（ｉ＋４）〜２５−（ｉ＋７）が表示されることとなる。このように、変形例２の構成と変形例１の構成とを組み合わせることも有効であって、本変形例４にかかる画像表示装置は、変形例１、２の利点をあわせて享受することが可能である。
【００６２】
（変形例５）
次に、実施の形態にかかる画像表示装置の変形例５について説明する。本変形例５では、表示部１２は、スライダーバー２７ａと別に領域上の位置が表示可能な全画像と関連づけられた表示選択領域を新たに表示し、指示部９は、表示選択領域上の所定の位置を指定することによって抽出画像表示領域１２ｂにおける表示態様を変化させる構成を有する。
【００６３】
図１１は、本変形例５にかかる画像表示装置における表示部１２の表示態様を示す模式図である。図１１に示すように、表示部１２は、スライダーバー２７ａと抽出画像表示領域１２ｂとの間に新たに表示選択領域３３を表示すると共に、表示選択領域３３上の位置と、抽出画像表示領域１２ｂに表示された抽出画像２５−ｉ〜２５−（ｉ＋３）との対応関係を示すリンク線３４−ｉ〜３４−（ｉ＋３）を表示する機能を有する。
【００６４】
表示選択領域３３は、領域上の位置と表示可能な全画像とが関連づけられた状態にて表示されており、ポインタ２３を用いて指示部９が領域上の位置を指定することによって、対応する抽出画像が抽出画像表示領域１２ｂ上に表示される。なお、表示選択領域３３上には、表示可能な全画像中における抽出画像の位置を示すためのマーキング（図１１の例では斜線にて示す）が施されており、使用者は、かかるマーキングが施された部分を指示部９を介して指定することによって、所望の抽出画像を表示させることが可能である。
【００６５】
本変形例５にかかる画像表示装置では、指示部９によって表示選択領域３３上の領域を指定（例えば、クリック）することにより、所望の抽出画像を表示させることが可能である。従って、スクロール処理が不要となるのみならず、一度の指定により所望の抽出画像を表示することが可能となり、使用者の負担を大幅に低減できるという利点を有する。
【００６６】
（変形例６）
次に、実施の形態にかかる画像表示装置の変形例６について説明する。本変形例６にかかる画像表示装置では、表示部１２は、表示する抽出画像の大きさを変化させて抽出画像表示領域中の表示画像数を変化させることによって、抽出画像表示領域における表示態様を切り替える機能を有する。
【００６７】
図１２は、本変形例６における表示部１２の表示態様を示す模式図である。図１２に示すように、本変形例６では、表示部１２は、基本的な表示態様として抽出画像表示領域３６に抽出画像２５−ｉ〜２５−（ｉ＋７）を表示すると共に、抽出画像表示領域３６にて表示する抽出画像の大きさを調整するための第１ＧＵＩ３８ａおよび第２ＧＵＩ３８ｂを表示する。また、表示部１２は、抽出画像表示領域３６に表示された抽出画像の、抽出画像群全体における位置を示すためのスライダーバー３７ａおよび指標アイコン３７ｂを表示する。
【００６８】
第１ＧＵＩ３８ａおよび第２ＧＵＩ３８ｂは、それぞれ抽出画像表示領域３６に表示する個々の抽出画像の大きさを調整するためのものである。すなわち、第１ＧＵＩ３８ａは、表示される抽出画像の大きさを大きくするためのものであり、第２ＧＵＩ３８ｂは、表示される抽出画像の大きさを小さくするためのものである。具体的には、指示部９によってそれぞれのＧＵＩが指定されることによって、表示される抽出画像の大きさが変化する。また、抽出画像表示領域３６は、例えば可能な限り多数の抽出画像を表示するよう構成されており、表示される抽出画像を大きくすることによって表示する抽出画像の個数が減少する一方で、抽出画像を小さくすることによって表示する抽出画像の個数が増加することとなる。
【００６９】
このように、第１ＧＵＩ３８ａおよび第２ＧＵＩ３８ｂのみを指定することによって抽出画像表示領域３６の表示態様を切り替える構成も有効である。すなわち、かかる構成を採用した場合にも、スクロール処理を行うこと無く表示態様を切り替えることが可能となり、使用者の負担を軽減することが可能となるためである。
【図面の簡単な説明】
【００７０】
【図１】画像表示装置が用いられるカプセル型内視鏡システムの全体構成を示す模式図である。
【図２】実施の形態にかかる画像表示装置の構成を示す模式的なブロック図である。
【図３】表示部の基本的な表示態様を示す模式図である。
【図４】表示態様の変化を示す模式図である。
【図５】変形例１にかかる画像表示装置に備わる表示部の表示態様を示す模式図である。
【図６】変形例２にかかる画像表示装置に備わる表示部の基本的な表示態様を示す模式図である。
【図７】表示態様の変化を示す模式図である。
【図８】変形例３にかかる画像表示装置に備わる表示部の基本的な表示態様を示す模式図である。
【図９】表示態様の変化を示す模式図である。
【図１０】変形例４にかかる画像表示装置に備わる表示部の表示態様の変化を示す模式図である。
【図１１】変形例５にかかる画像表示装置に備わる表示部の表示態様を示す模式図である。
【図１２】変形例６にかかる画像表示装置に備わる表示部の表示態様を示す模式図である。
【符号の説明】
【００７１】
１  被検体
２  カプセル型内視鏡
３ａ〜３ｈ  受信アンテナ
４  受信装置
５  画像表示装置
６  携帯型記録媒体
８  入力部
９  指示部
１０  記憶部
１２  表示部
１２ａ  画像表示領域
１２ｂ  抽出画像表示領域
１３  制御部
１４  撮像画像データベース
１５  抽出画像データベース
１６  表示制御部
１９  ディレクトリ表示領域
２０ａ〜２０ｖ  アイコン
２１  選択画像
２２  テキスト表示領域
２３  ポインタ
２４ａ〜２４ｄ  表示領域
２５  抽出画像
２６ａ  スクロールバー
２６ｂ、２６ｃ  スクロールボタン
２７ａ  スライダーバー
２７ｂ  指標アイコン
２８  リンク線
３０ａ  第１ＧＵＩ
３０ｂ  第２ＧＵＩ
３１ａ  スライダーバー
３１ｂ  指標アイコン
３３  表示選択領域
３４  リンク線
３６  抽出画像表示領域
３７ａ  スライダーバー
３７ｂ  指標アイコン
３８ａ  第１ＧＵＩ
３８ｂ  第２ＧＵＩ
【図１】
2006301535.tif 000003
【図２】
2006301535.tif 000004
【図３】
2006301535.tif 000005
【図４】
2006301535.tif 000006
【図５】
2006301535.tif 000007
【図６】
2006301535.tif 000008
【図７】
2006301535.tif 000009
【図８】
2006301535.tif 000010
【図９】
2006301535.tif 000011
【図１０】
2006301535.tif 000012
【図１１】
2006301535.tif 000013
【図１２】
2006301535.tif 000014